(57)【要約】【課題】  着脱作業が簡便で軽量コンパクト化が可能なハウジング形管継手を提供する。【解決手段】  金属板により全体形状がＣ形リング状で断面形状が逆Ｕ形に成形されたハウジング２１と、このハウジング２１の内部に一対の管５，６の端部を囲むように装着された弾性リング２２と、ハウジング２１の外面を囲むように取り付けられた締め付けバンド２３と、この締め付けバンド２３をハウジング２１が円環状を呈するように締め付ける締付手段２４とを有する。【選択図】  図１
2006226312.tif 000002
【特許請求の範囲】
【請求項１】
金属板によりＣ形リング状で断面形状が逆Ｕ形に成形されたハウジングと、このハウジングの内部に一対の管の端部を囲むように装着された弾性リングと、ハウジングの外面を囲むように取り付けられた締め付けバンドと、この締め付けバンドをハウジングが円環状を呈するように締め付ける締付手段とを有することを特徴とするハウジング形管継手。
【請求項２】
締め付けバンドは、ハウジングの外面にスポット溶接手段により結合されていることを特徴とする請求項１に記載のハウジング形管継手。
【請求項３】
金属板は、ステンレス製薄肉板であることを特徴とする請求項１または２に記載のハウジング形管継手。
【請求項４】
締付手段は、右ねじ部と左ねじ部を有するねじ部と、右ねじ部に螺着された右ねじナットと左ねじ部に螺着された左ねじナットとを有することを特徴とする請求項１ないし３のいずれか１項に記載のハウジング形管継手。
【発明の詳細な説明】
【技術分野】
【０００１】
本発明は、端部に環状溝を有する２つの管を液密にシールするためのハウジング形管継手に係り、特に、着脱作業が簡便で軽量コンパクト化が可能なハウジング形管継手に関する。
【背景技術】
【０００２】
２つの管の端部同士を液密にシールするハウジング形管継手として、図６に示す構成のハウジング形管継手が多くの産業で使用されている。
【０００３】
上記ハウジング形管継手は、一対の円弧状継手セグメント１，２と、円弧状継手セグメント１の両端部に形成されたボルト座３，３と、円弧状継手セグメント２の両端部に形成されたボルト座４，４と、各円弧状継手セグメント１，２に形成された２つの管５，６の端部を収容する空間７と、各円弧状継手セグメントの空間７に２つの管５，６の端部をシールするように設けられた弾性リング８と、上記円弧状継手セグメントの空間７の両側に半径方向内方に延びるように形成され、２つの管５，６の端部に形成された周方向溝５ａ，６ａに係合する２つの締付部９，１０と、円弧状継手セグメント１，２のボルト座３，４に設けた開口３ａ，４ａに挿通され一対の円弧状継手セグメント１，２を互いに結合するためのボルトナット固定手段１１とから形成されている。
【０００４】
上記ハウジング形管継手は、ボルトナット固定手段１１により円弧状継手セグメント１，２の空間７，７に配置された弾性リング８を２つの管５，６の端部外周面に圧接することで２つの管５，６の端部をシールするとともに、各継手セグメント１，２に設けた締付部９，１０を２つの管５，６の端部に設けた周方向溝５ａ，６ａに系着することで２つの管５，６を２つの管５，６に固定するようにしている。
【発明の開示】
【発明が解決しようとする課題】
【０００５】
しかしながら、上記形式のハウジング形管継手は、円弧状継手セグメントが鋳物で作られ、円弧状継手セグメントにボルト座が一体に成形されているため、全体重量が重くなるとともにコンパクト化することができず、しかも、組み立て作業を作業現場で行うために、管に対する着脱作業を簡便に行うことができないという問題点がある。
【０００６】
本発明の目的は、前記従来技術の有する問題点を解消し、管に対する着脱作業が簡便で、軽量コンパクト化が可能なハウジング形管継手を提供することにある。
【課題を解決するための手段】
【０００７】
本発明のハウジング形管継手は、金属板によりＣ形リング状で断面形状が逆Ｕ形に成形されたハウジングと、このハウジングの内部に一対の管の端部を囲むように装着された弾性リングと、ハウジングの外面を囲むように取り付けられた締め付けバントと、この締め付けバントをハウジングが円環状を呈するように締め付ける締付手段とから構成される。
【発明の効果】
【０００８】
本発明によれば、ハウジングを金属板により成形したことで、従来品に比べて軽量化を図ることができ、また、ハウジングにボルト支持構造を形成する必要がないので、コンパクト化が可能になり、さらに、必要部品を工場で組み立てた状態で出荷し、管と管の継ぎ目に締付手段により取付けることで取り付けが完了するので、管に対する着脱操作の簡便化を図ることができる。
【発明を実施するための最良の形態】
【０００９】
以下、本発明によるハウジング形管継手の一実施形態について、添付の図面を参照しながら説明する。  
図１は本発明によるハウジング形管継手の斜視図である。図２は本発明によるハウジング形管継手をシールすべき管の端部に配置した状態を示す一部を断面で示す側面図である。図３２は本発明によるハウジング形管継手をシールすべき管の端部に取り付けた状態を示す一部を断面で示す側面図である。
【００１０】
本発明のハウジング形管継手２０は、全体形状がＣ形リング状をなすハウジング２１と、このハウジング２１の内部に装着された弾性リング２２と、ハウジング２１の外面を囲むようにハウジング２１に取り付けられた締め付けバンド２３と、この締め付けバンド２３をハウジング２１が円環になるように締め付けるための締付手段２４とから構成される。
【００１１】
上記ハウジング２１は、ステンレス鋼板のような金属板を細長い矩形状に裁断したハウジング素材を図示しない成形手段により図２に示すような断面逆Ｕ形に成形し、断面逆Ｕ形に成形した素材を円環形の一部を切り欠いた略Ｃ形リング状に成形することで構成される。ハウジング２１の逆Ｕ形の両端部は、２つの管５，６の端部に形成された周方向溝５ａ，６ａに係合する締付部として作用する。
【００１２】
上記弾性リング２２は、ゴムを素材として成形された円筒体であり、対対内圧および外圧の圧力に応じて安定したシール力を発揮するリップタイプのオートマチックシール機構を搭載した構成であることが好ましい。
【００１３】
上記締め付けバンド２３は、細長い矩形状に裁断したステンレス鋼板により形成されたものであり、その両端部を外側に本体側に重なるように曲げることで形成されるループ部２５，２５を有する。各ループ部２５には円形孔２６，２６が形成されている。締め付けバンド２３は、図４および図５に示すように、各ループ部２５に設けられた円形孔２６，２６が同一直線上に位置するように、ハウジング２１の外面にスポット溶接手段Ｓ，Ｓにより結合されている。
【００１４】
上記締付手段２４は、図４および図５に示すように、ねじ部２７とヘッド部２８を有するボルト２９と、ボルト２９のねじ部２８に螺着されたナット３０と、ボルト２９のねじ部２７とヘッド部２８の間に一体形成されたループ押圧部３１とを有する。ナット３０とループ押圧部３１の対向する側は円弧面となっている。
【００１５】
上記締付手段は、右ねじ部と左ねじ部を有するねじ部と、右ねじ部に螺着された右ねじネットと左ねじ部に螺着された左ねじナットとを有する構成であってもよい。
【００１６】
つぎに、本発明のハウジング形管継手２０の作用を説明する。
【００１７】
本発明のハウジング形管継手２０は、図１に示すように、Ｃ形ハウジング２１の内部に弾性リング２２を装着し、ハウジング２１の外面に締め付けバント２３を取付け、締め付けバント２３に締付手段２４を取り付けた完成品として製造工場において組み立てられ、目的地に出荷される。
【００１８】
まず、作業員は、作業現場において、図２および図４に示すように、組み立てられたハウジング形管継手２０の弾性リング２２に２つの管５，６の接合部を囲むように管５，６に装着し、Ｃ形ハウジング２１をその締付部が２つの管５，６の端部に設けた周方向溝５ａ，６ａに対応するように配置する。
【００１９】
ついで、作業員が、締付手段２４のボルト２９を締める方向に回すと、締付手段２４のボルト２９に設けたループ押圧部３１とねじ部２８に螺着されたナット３０との距離は、図４に示す位置から図５に示す位置に移動する。これにより、Ｃ形リング状ハウジング２１は、締め付けバンド２３により図４に示す位置から図５に示す位置に移動し、Ｃ形リング状ハウジング２１の開口端が閉じられて円環状にになる。Ｃ形リング状ハウジング２１が円環状にに変形することで、ハウジング２１の逆Ｕ形の両端部が、２つの管５，６の端部に形成された周方向溝５ａ，６ａに係合し、ハウジング２１は２つの管５，６の端部に固定される。
【００２０】
このように、本発明のハウジング形管継手は、工場で組み立てられた状態で２つの管の継ぎ目に配置し、締付手段を締め付けるだけで取付けられ、取り外しは締付手段を緩めることで行われるので、従来のハウジング形管継手に比べて着脱作業が簡便になる。  また、本発明のハウジング形管継手は、ハウジングを金属板により成形することで、従来品に比べて軽量化を図ることができるとともに、ハウジングにボルト支持構造を形成する必要がないので、コンパクト化が可能になる。
【００２１】
なお、本発明のハウジング形管継手は、溝付管の端部にそのまま適用できるので、従来のハウジング形管継手との互換性がある。
【図面の簡単な説明】
【００２２】
【図１】本発明によるハウジング形管継手の一実施例を示す斜視図である。
【図２】本発明によるハウジング形管継手をシールすべき管の端部に配置した状態を示す一部を断面で示す側面図である。
【図３】本発明によるハウジング形管継手をシールすべき管の端部に取り付けた状態を示す一部を断面で示す側面図である。
【図４】本発明によるハウジング形管継手をシールすべき管の端部に配置した状態を示す断面図である。
【図５】本発明によるハウジング形管継手をシールすべき管の端部に取り付けた状態を示す断面である。
【図６】従来のハウジング形管継手の分解斜視図である。
【符号の説明】
【００２３】
５  管
６  管
２０  ハウジング形管継手
２１  Ｃ形ハウジング
２２  弾性リング
２３  締め付けバンド
２４  締付手段
【図１】
2006226312.tif 000003
【図２】
2006226312.tif 000004
【図３】
2006226312.tif 000005
【図４】
2006226312.tif 000006
【図５】
2006226312.tif 000007
【図６】
2006226312.tif 000008